(57)【要約】      （修正有）【課題】花粉や塵埃が目に入るのを防止するだけでなく、花粉等の有無や明るさ等の状況に応じて、容易にインナーフレームの着脱やサングラスへの切り替えができる花粉防止眼鏡を提供する。【解決手段】リム部２ａと、ブリッジ部２ｂと、曲げ智部２ｃと、リム部と一体に形成された鼻当部２ｄとを備えたフロントフレーム２と、フロントフレームの後方から着脱可能でリム部の形状に対応したインナーリム部と、ブリッジ部の形状に対応したインナーブリッジ部と、インナーリム部の上下縁部及び曲げ智側の側面部に形成されたフード部とを備えた透光性を有するインナーフレーム３を含み、鼻当部において、基部の内面側にはインナーリム部に対応した形状の嵌装溝を上下にわたって設け、嵌装溝にインナーリム部が挿入可能とし、曲げ智側の側面部のフード部には曲げ智部の内面側に形成された圧入溝部２ｅに着脱可能な突起部を設けた。【選択図】図１
0003226450.tif 000002
【実用新案登録請求の範囲】
【請求項１】
レンズを保持するリム部と、一対のリム部を連結するブリッジ部と、リム部の左右両端に形成された曲げ智部と、リム部と一体に形成された鼻当部とを備えたフロントフレームと、
前記フロントフレームの後方から着脱可能であって、リム部の形状に対応したインナーリム部と、ブリッジ部の形状に対応したインナーブリッジ部と、インナーリム部の上下縁部及び曲げ智側の側面部に形成されたフード部とを備えた透光性を有する軟質樹脂製のインナーフレームを含んで成り、
前記鼻当部において、基部の内面側には前記インナーリム部に対応した形状の嵌装溝が上下にわたって設けられ、嵌装溝にはインナーリム部が挿入可能となっている一方、
前記曲げ智側の側面部のフード部には曲げ智部の内面側に形成された圧入溝部に着脱可能な突起部が設けられていることを特徴とする、花粉防止用眼鏡。
【請求項２】
前記突起部の上下方向の幅が、前記圧入溝部の上下方向の幅よりも大きいことを特徴とする、請求項１に記載の花粉防止用眼鏡。
【請求項３】
遮光レンズを装着した状態で前記フロントフレームに着脱可能なサブフレームであって、
遮光レンズを保持するサブリム部の左右両端部の裏面側に取着された第一の磁石と、一対のサブリム部を連結するサブブリッジ部から後方に突出して下方に屈曲した断面Ｌ字型のフック部とを有し、
前記フック部がブリッジ部に係合すると共に、前記第一の磁石がリム部の左右両端の裏面側にそれぞれ取着された第二の磁石と磁着することで、サブフレームが前記フロントフレームに装着可能となっていることを特徴とする、請求項１または２に記載の花粉防止用眼鏡。
【考案の詳細な説明】
【技術分野】
【０００１】
本考案は、花粉や塵埃が目に侵入するのを防止するための、花粉防止用眼鏡に関するものである。
【背景技術】
【０００２】
花粉や塵埃が目に侵入するのを防止するフード付きの眼鏡において、通常の眼鏡としても使用できるよう、時季や場所に応じてフード部を着脱できるようにした眼鏡が知られている。
【０００３】
これらの眼鏡には着脱が容易でありながらも、フード部が外れたりずれたりしないことが求められ、本件出願人も従来、フード部を有するインナーフレームを着脱でき、取付けたインナーフレームの外れが生じにくい眼鏡の技術に関する特許出願をしている（特許文献１参照）。
【０００４】
しかし、この技術では、フロントフレームとインナーフレームとの係止部が多く、着脱に手間がかかった。また、曲げ智部付近においては、インナーフレームが外れにくいように、貫通孔に突起部を差し込んだり、曲げ智部を把持したりするなど、外観に影響を与える構造を採用せざるを得ないといった問題があった。
【先行技術文献】
【特許文献】
【０００５】
【特許文献１】特許第５６９０９０７号公報
【考案の概要】
【考案が解決しようとする課題】
【０００６】
本考案は、上記の如き問題に鑑みて為されたものであり、その目的とするところは、花粉や塵埃が目に入るのを防止するだけでなく、花粉等の有無や明るさ等の状況に応じて、容易にインナーフレームの着脱やサングラスへの切り替えができる花粉防止眼鏡を提供することにある。
【課題を解決するための手段】
【０００７】
本考案者が上記課題を解決するために採用した手段は次のとおりである。
【０００８】
即ち、本考案は、レンズを保持するリム部と、一対のリム部を連結するブリッジ部と、リム部の左右両端に形成された曲げ智部と、リム部と一体に形成された鼻当部とを備えたフロントフレームと、前記フロントフレームの後方から着脱可能であって、リム部の形状に対応したインナーリム部と、ブリッジ部の形状に対応したインナーブリッジ部と、インナーリム部の上下縁部及び曲げ智側の側面部に形成されたフード部とを備えた透光性を有する軟質樹脂製のインナーフレームを含み、前記鼻当部において、基部の内面側には前記インナーリム部に対応した形状の嵌装溝を上下にわたって設け、嵌装溝にはインナーリム部が挿入可能とし、前記曲げ智側の側面部のフード部には曲げ智部の内面側に形成された圧入溝部に着脱可能な突起部を設けた点に特徴がある。
【０００９】
また、前記突起部の上下方向の幅は、前記圧入溝部の上下方向の幅よりも大きくすることが好ましい。
【００１０】
さらに、遮光レンズを装着した状態で前記フロントフレームに着脱可能なサブフレームにおいて、遮光レンズを保持するサブリム部の左右両端部の裏面側に取着された第一の磁石と、一対のサブリム部を連結するサブブリッジ部から後方に突出して下方に屈曲した断面Ｌ字型のフック部とを有し、前記フック部はブリッジ部に係合すると共に、前記第一の磁石はリム部の左右両端の裏面側にそれぞれ取着された第二の磁石と磁着することで、サブフレームが前記フロントフレームに装着可能とすることもできる。
【考案の効果】
【００１１】
本考案では、フード部が形成されたインナーフレームにより、装着時には花粉等の塵埃が目に入るのを防止することができ、必要に応じて取り外すことで普通の眼鏡としても使用することができる。
【００１２】
ここで、鼻当部における基部の内面側に設けた嵌装溝に、インナーリム部を挿入可能とすると共に、曲げ智側の側面部のフード部に、曲げ智部の内面側に形成された圧入溝部に着脱可能な突起部を設けたことにより、左右２か所ずつを係合するという簡単な動作で、インナーフレームをフロントフレームに取着することができる。
【００１３】
また、突起部の上下方向の幅を、圧入溝部の上下方向の幅よりも大きくすることにより、適度な摩擦が発生し、フード部がフロントフレームに密着すると同時に、上下左右方向にずれにくくなるという効果もある。
【００１４】
さらに、遮光レンズを装着したサブフレームを、サブブリッジ部のフック部とサブリム部左右両端の磁石とを有する構成とすることによって、フロントフレームの上方からサブフレームを下ろすという簡単な動作で装着することができる。これによって、花粉等の有無によってインナーフレームを着脱できるだけでなく、周囲の明るさの状況に応じてサングラスにすることもでき、一つの眼鏡で快適な状態に切り換えることができるという効果もある。
【図面の簡単な説明】
【００１５】
【図１】本考案における実施例１の花粉防止眼鏡を表す正面図及び平面図である。
【図２】本考案における実施例１のフロントフレームを表す部分拡大図である。
【図３】本考案における実施例１のインナーフレームを表す正面図及び平面図である。
【図４】本考案における実施例１のインナーフレームの係合部の装着の様子を表す説明図、及び装着後の状態を表す部分図である。
【図５】本考案における実施例１のインナーフレームの突起部の装着の様子を表す説明図、及び装着後の状態を表す部分図である。
【図６】本考案における実施例２の花粉防止眼鏡を表す正面図、平面図及びフック部の部分断面図である。
【図７】本考案における実施例２のサブフレームを表す正面図及び平面図である。
【図８】本考案における実施例３の花粉防止眼鏡を表す正面図及び平面図である。
【考案を実施するための形態】
【００１６】
『実施例１』
本考案の実施例１について、図１〜図５に基づいて説明する。なお、本考案はこれらの添付図面に示す態様に限定されるものではない。
【００１７】
本実施例では、図１に示すように、フロントフレーム２と、テンプル４・４とがヒンジ連結され、フロントフレーム２の後方にインナーフレーム３を装着した構成としている。
【００１８】
インナーフレーム３はフロントフレーム２に対して着脱可能となっており、装着しない状態では普通の眼鏡として使用でき、装着することで花粉防止用眼鏡として機能する。
【００１９】
フロントフレーム２は、レンズ2f・2fを装着したリム部2a・2a、これらリム部2a・2aを繋ぐブリッジ部2b、これらリム部2a・2aの左右両端に形成された曲げ智部2c・2c、リム部2a・2aのブリッジ部2b側寄りの部分から一体に突出した鼻当部2d・2dを備えた形状としている。
【００２０】
また、曲げ智部2c・2cの内面側には、断面コの字型の圧入溝部2e・2eを形成している。圧入溝部2e・2eは、曲げ智部2c・2cのテンプル４・４側の面のみ開口しており、テンプル４・４に取着されている蝶番を内包してヒンジ連結可能となっている。
【００２１】
ここで、本実施例では、リム部2a・2a、ブリッジ部2b、曲げ智部2c・2cは一体のプラスチックフレームとしているが、それぞれが別体として連結されて形成されていてもよい。
【００２２】
一方、図２に示すように、鼻当部2d・2dの基部には嵌装溝2g・2gを形成して、この嵌装溝2g・2gに、インナーフレーム３の係合部3d・3dを挿入できるようにしている。これにより、インナーフレーム３が後方に引っ張られたとしても、フロントフレーム２の鼻当部2d・2dの嵌装溝2g・2gに挿入されたインナーリム部3a・3aがズレ止めの役割を果たすため、インナーフレーム３の外れを防止できる(後述する)。
【００２３】
フロントフレーム２に装着するインナーフレーム３は、図３に示すように、リム部2a・2aの形状に対応したインナーリム部3a・3a、ブリッジ部2bの形状に対応したインナーブリッジ部3b、インナーリム部3a・3aの上下縁部及び曲げ智部2c・2c側の側面部に形成されたフード部3c・3cを備えた形状としている。
【００２４】
ここで、インナーリム部3a・3aの鼻当部2d・2d側の一部は、フード部3c・3cが形成されていない係合部3d・3dであり、嵌装溝2g・2gに挿入できるようにするため嵌装溝2g・2gに合わせた幅を有している。
【００２５】
また、曲げ智2c・2c側の側面部のフード部3c・3cには、突起部3e・3eが設けられている。この突起部3e・3eは、角丸の断面矩形状の突起で、眼鏡装着時の顔面左右方向に突出している。
【００２６】
なお、本実施例におけるインナーフレーム２は、視界を遮らないようにするために透光性を有するポリアミド製としているが、透光性を有して弾力性に優れていればポリアミド以外の材料を用いてもよい。
【００２７】
テンプル４・４は、図１に示すように、曲げ智2c・2c部から延設している。本実施例では、テンプル４を金属芯入りのポリアミド製としているが、弾力性のある素材であれば、ポリアミド製に限られない。
【００２８】
次に、フロントフレーム２へのインナーフレーム３の装着方法について説明する。まず、インナーフレーム３の嵌装溝2g・2gと係合部3d・3dとを係合させる。
【００２９】
具体的には、図４(a)に示すように、インナーフレーム３をフロントフレーム２の上方から下ろすようにして、嵌装溝2g・2gに係合部3d・3dを挿入する。このとき、インナーフレーム３の突起部3e・3eが曲げ智部2c・2cに干渉するため、インナーフレーム３を、インナーブリッジ部3bを支点に内側に折るように屈曲させながら、嵌装溝2g・2gに係合部3d・3dを挿入すると作業がしやすい。
【００３０】
変形を元に戻すと、図４(b)に示すように、嵌装溝2g・2gに係合部3d・3dが係合された状態となるため、インナーブリッジ部が前後左右方向にずれにくくなる。
【００３１】
次に、図５(a)に示すように、フード部3c・3cに設けた突起部3e・3eを、曲げ智2c・2cに設けた圧入溝部2e・2eに圧入する。突起部3e・3eの上下方向の幅は、圧入溝部2e・2eの上下方向の幅よりも若干大きく形成されている。
【００３２】
このように形成することによって、突起部3e・3eが弾性変形しながら圧入溝部2e・2eに圧入されて適度な摩擦力を生じるため、フード部3c・3cが上下左右方向にずれにくくなる一方、インナーフレーム３が弾力性のあるポリアミドであるため、装着時には容易に圧入することができる。
【００３３】
なお、インナーフレーム３の取外しについては、前記取付け方法の反対の手順にて行うことができる。まず、圧入溝部2e・2eから突起部3e・3eを取り外す。突起部3e・3eは、フード部3c・3cを内側に引っ張ることで、容易に取り外すことができる。
【００３４】
次に、インナーフレーム３をフロントフレーム２から持ち上げるようにして取り外す。このとき、インナーフレーム３を、インナーブリッジ部3bを支点に内側に折るように屈曲させながら持ち上げると作業がしやすい。
【００３５】
『実施例２』
本考案の実施例２について、図６、図７に基づいて説明する。なお、本考案はこれらの添付図面に示す態様に限定されるものではない。
【００３６】
本実施例では、図６に示すように、レンズ2f・2fとリム部2a・2aの形状、及びフロントフレーム２に着脱可能なサブフレーム５を取着している点が実施例１と相違している。このサブフレーム５を装着することによって、周囲の明るさの状況に応じてサングラスにすることができる。
【００３７】
本実施例におけるサブフレーム５は、図７に示すように、遮光レンズ5e・5eを装着したサブリム部5a・5a、これらサブリム部5a・5aを繋ぐサブブリッジ部5b、これらサブリム部5a・5aの左右両端の内側に第一の磁石5d・5dをそれぞれ取着して構成している。
【００３８】
また、本実施例におけるインナーフレーム２は、リム部2a・2aの左右両端の裏面側に第二の磁石2h・2hをそれぞれ取着して構成しており、第一の磁石5d・5dと第二の磁石2h・2hの向かい合う面の極性が引き合うように配置されている(図６参照)。
【００３９】
さらに、サブフレーム５のサブブリッジ部5bには、後方に突出して下方に屈曲した断面Ｌ字型のフック部5cが形成されている。このフック部5cはブリッジ部2bに上方から係合可能となっている。
【００４０】
フロントフレーム２へのサブフレーム３の装着方法は、サブフレーム５をフロントフレーム２の上方から下ろすようにして、フック部5cをブリッジ部2bに挿入する(図６断面図参照)。このとき、フック部5cの下方に屈曲した部分の内面は、ブリッジ部2bの裏面の形状に合わせた形状と寸法になっているため、装着後はガタが無く、サブフレーム５が上下左右方向にずれにくくなっている。
【００４１】
また、フック部5cの挿入と同時に、サブリム部5a・5aに取着された第一の磁石5d・5dと、リム部2a・2aに取着された第二の磁石2h・2hとが引き合い、インナーフレーム２とサブフレーム５が磁着される。このように、簡単な動作でサングラスに切り替えることができる。
【００４２】
本考案は、概ね上記のように構成されるが、本考案は図示の実施形態に限定されるものではなく、「特許請求の範囲」の記載内において種々の変更が可能であって、例えば、図８に示す実施例３のように、実施例１の形態に第二の磁石2h・2hを取着して、サブフレーム５を装着できるようにしてもよい。
【符号の説明】
【００４３】
１  花粉防止用眼鏡
２  フロントフレーム
2a  リム部
2b  ブリッジ部
2c  曲げ智部
2d  鼻当部
2e  圧入溝部
2f  レンズ
2g  嵌装溝
2h  第二の磁石
３  インナーフレーム
3a  インナーリム部
3b  インナーブリッジ部
3c  フード部
3d  係合部
3e  突起部
４  テンプル
５  サブフレーム
5a  サブリム部
5b  サブブリッジ部
5c  フック部
5d  第一の磁石
5e  遮光レンズ
【図１】
0003226450.tif 000003
【図２】
0003226450.tif 000004
【図３】
0003226450.tif 000005
【図４】
0003226450.tif 000006
【図５】
0003226450.tif 000007
【図６】
0003226450.tif 000008
【図７】
0003226450.tif 000009
【図８】
0003226450.tif 000010
【手続補正書】
【提出日】令和2年3月11日(2020.3.11)
【手続補正１】
【補正対象書類名】実用新案登録請求の範囲
【補正対象項目名】全文
【補正方法】変更
【補正の内容】
【実用新案登録請求の範囲】
【請求項１】
レンズを保持するリム部と、一対のリム部を連結するブリッジ部と、リム部の左右両端に形成された曲げ智部と、リム部と一体に形成された鼻当部とを備えたフロントフレームと、
リム部の形状に対応したインナーリム部と、ブリッジ部の形状に対応したインナーブリッジ部と、インナーリム部の上下縁部及び曲げ智側の側面部に形成されたフード部とを備えた透光性を有する軟質樹脂製のインナーフレームを含んで成り、
前記鼻当部において、基部の内面側には前記インナーリム部に対応した形状の嵌装溝が上下にわたって設けられている一方、
前記曲げ智部の内面側には圧入溝部が形成され、曲げ智側の側面部のフード部には突起部が設けられていることを特徴とする、花粉防止用眼鏡。
【請求項２】
前記突起部の上下方向の幅が、前記圧入溝部の上下方向の幅よりも大きいことを特徴とする、請求項１に記載の花粉防止用眼鏡。
【請求項３】
遮光レンズを装着したサブフレームであって、
遮光レンズを保持するサブリム部の左右両端部の裏面側に取着された第一の磁石と、一対のサブリム部を連結するサブブリッジ部から後方に突出して下方に屈曲した断面Ｌ字型のフック部とを有し、
前記フック部がブリッジ部に係合すると共に、前記第一の磁石がリム部の左右両端の裏面側にそれぞれ取着された第二の磁石と磁着することで、サブフレームが前記フロントフレームに装着可能となっていることを特徴とする、請求項１または２に記載の花粉防止用眼鏡。
【手続補正２】
【補正対象書類名】明細書
【補正対象項目名】０００８
【補正方法】変更
【補正の内容】
【０００８】
即ち、本考案は、レンズを保持するリム部と、一対のリム部を連結するブリッジ部と、リム部の左右両端に形成された曲げ智部と、リム部と一体に形成された鼻当部とを備えたフロントフレームと、リム部の形状に対応したインナーリム部と、ブリッジ部の形状に対応したインナーブリッジ部と、インナーリム部の上下縁部及び曲げ智側の側面部に形成されたフード部とを備えた透光性を有する軟質樹脂製のインナーフレームを含み、前記鼻当部において、基部の内面側には前記インナーリム部に対応した形状の嵌装溝を上下にわたって設け、曲げ智部の内面側には圧入溝部を形成し、曲げ智側の側面部のフード部には突起部を設けた点に特徴がある。
【手続補正３】
【補正対象書類名】明細書
【補正対象項目名】００１０
【補正方法】変更
【補正の内容】
【００１０】
さらに、遮光レンズを装着したサブフレームにおいて、遮光レンズを保持するサブリム部の左右両端部の裏面側に取着された第一の磁石と、一対のサブリム部を連結するサブブリッジ部から後方に突出して下方に屈曲した断面Ｌ字型のフック部とを有し、前記フック部はブリッジ部に係合すると共に、前記第一の磁石はリム部の左右両端の裏面側にそれぞれ取着された第二の磁石と磁着することで、サブフレームが前記フロントフレームに装着可能とすることもできる。
【手続補正４】
【補正対象書類名】明細書
【補正対象項目名】００４２
【補正方法】変更
【補正の内容】
【００４２】
本考案は、概ね上記のように構成されるが、本考案は図示の実施形態に限定されるものではなく、「実用新案登録請求の範囲」の記載内において種々の変更が可能であって、例えば、図８に示す実施例３のように、実施例１の形態に第二の磁石2h・2hを取着して、サブフレーム５を装着できるようにしてもよい。